(57)【要約】      （修正有）【課題】手首や肘、膝や足首等に容易に装着でき、患部の周囲３６０度を冷やすことができる氷嚢を提供する。【解決手段】本発明による氷嚢１００は、氷４又は冷水３が収容される円筒状の本体６と、本体に設けられる貫通孔２と、本体に設けられ、氷又は冷水の投入口を塞ぐキャップ１と、を備え、貫通孔に手や足を差し込んで装着する。また本体の素材をゴム又はシリコーンとすることで装置しやすくなる。【選択図】図１
0003232370.tif 000002
【実用新案登録請求の範囲】
【請求項１】
氷又は冷水が収容され、貫通孔を有する円筒状の本体と、
前記本体に設けられる氷又は冷水の投入口と、
前記投入口を塞ぐキャップと、が備えられることを特徴とする氷嚢。
【請求項２】
前記本体は、貫通孔を有する長尺な円筒状で、前記本体の一端が前記貫通孔の内部に折返し可能、もしくは前記本体の一端が前記本体の外側に折返し可能であることを特徴とする請求項１に記載の氷嚢。
【請求項３】
前記本体は、前記貫通孔の長さが前記貫通孔の径より短いことを特徴とする請求項１に記載の氷嚢。
【請求項４】
冷水が収容され、貫通孔を有する円筒状の本体と、
前記本体とチューブで連結される氷補給バッグと、が備えられ、
前記本体は、前記貫通孔の内側が前記本体の表面となるように、又は前記本体の表面が前記貫通孔の内側となるように回転させることにより、前記貫通孔の長手方向に移動可能であることを特徴とする氷嚢。
【考案の詳細な説明】
【技術分野】
【０００１】
本考案は、氷嚢に関し、より詳しくは、貫通孔を備え、患部の周囲３６０度を冷やすことができる氷嚢に関する。
【背景技術】
【０００２】
特許文献１には、首回りに掛ける氷嚢が開示される。装着者が体を動かしても外れることがなく、首筋を冷やすことができる。手首や肘、足首や膝などに装着でき、患部の周囲を冷やすことができる使い勝手のよい氷嚢が求められる。
【先行技術文献】
【特許文献】
【０００３】
【特許文献１】実用新案登録第３１６９４８７号公報
【考案の概要】
【考案が解決しようとする課題】
【０００４】
本考案の目的は、手首や肘、膝や足首などに容易に装着でき、患部の周囲を冷やすことができる氷嚢を提供することにある。
【課題を解決するための手段】
【０００５】
本考案による氷嚢は、氷又は冷水が収容され、貫通孔を有する円筒状の本体と、前記本体に設けられる氷又は冷水の投入口と、前記投入口を塞ぐキャップと、が備えられることを特徴とする。
【０００６】
前記本体は、貫通孔を有する長尺な円筒状で、前記本体の一端が前記貫通孔の内部に折返し可能、もしくは前記本体の一端が前記本体の外側に折返し可能であることを特徴とする。
【０００７】
前記本体は、前記貫通孔の長さが前記貫通孔の径より短いことを特徴とする。
【０００８】
本考案による他の氷嚢は、冷水が収容され、貫通孔を有する円筒状の本体と、前記本体とチューブで連結される氷補給バッグと、が備えられ、前記本体は、前記貫通孔の内側が前記本体の表面となるように、又は前記本体の表面が前記貫通孔の内側となるように回転させることにより、前記貫通孔の長手方向に移動可能であることを特徴とする。
【考案の効果】
【０００９】
本考案による氷嚢（請求項１）によれば、貫通孔を備えた円筒状としたので、貫通孔に手や足を挿入することにより、手首や足首などに装着できる。貫通孔により患部の周囲３６０度を冷やすことができる。従来の氷嚢は、氷嚢を当てた箇所しか冷やせないので、何度も位置を変えねばならなかった。
【００１０】
請求項２によれば、本体を長尺な形状とし、本体の一端が貫通孔の内部に折返し可能としたので、もしくは本体の外側に折返し可能としたので、折返し状態で例えば貫通孔に手を挿入する場合、氷嚢が皮膚にくっつくことが少なく、容易に装着できる。また、本体の長さを半分にして使用するようなこともできる。
【００１１】
請求項３によれば、貫通孔の長さが貫通孔の径より短くしたので、環状で長さのない氷嚢にでき、頭を冷やす場合や、首まわりを冷やす場合や、腰回りを冷やす場合に適する。
【００１２】
本考案による他の氷嚢（請求項４）によれば、貫通孔の内側が本体の表面となるように、逆に本体の表面が貫通孔の内側となるように回転させて移動を可能としたので、腕や脚に氷嚢を装着する場合、あらかじめ貫通孔の内側を表面に露出させておくことで、氷嚢が皮膚にくっつくことなく容易に移動できる。これにより、氷嚢の患部への装着が容易にできる。また、氷補給バッグを設けたので、長時間にわたって患部を冷やすことができる。
【図面の簡単な説明】
【００１３】
【図１】本考案による円筒状の氷嚢の斜視図である。実施例１
【図２】図１の氷嚢を手首に装着した例である。
【図３】本考案による長尺な円筒状の氷嚢の斜視図である。実施例２
【図４】図３の氷嚢を肘に装着する場合の手順を示す図である。
【図５】図３の氷嚢の一端に紐を設けた図である。
【図６】図３の氷嚢の長さを半分にする例である。
【図７】図６の氷嚢を手首に装着した例である。
【図８】本考案による足首用の氷嚢の斜視図である。実施例３
【図９】本考案による膝用の氷嚢の斜視図である。実施例４
【図１０】図８、図９の氷嚢を足首と膝に装着した例である。
【図１１】長さが短く貫通孔の径が大きな氷嚢の斜視図である。実施例５
【図１２】図１１の氷嚢を頭、首、腰に装着した例である。
【図１３】氷嚢がずれ落ちないようにする固定バンドの例である。
【図１４】本考案による氷嚢の斜視図である。実施例６
【図１５】図１４の氷嚢の説明図である。
【図１６】図１４の氷嚢の動作説明図である。
【考案を実施するための形態】
【００１４】
以下、図面を参照して、本考案の氷嚢を説明する。
【実施例】
【００１５】
図１は、本考案による円筒状の氷嚢１００の斜視図である。氷嚢１００は実施例１とする。氷嚢１００は、ゴム又はシリコーンからなる本体６を備える。水漏れを防止するためゴム又はシリコーンとした。外側をポリエチレンで覆い、デザイン性を向上させてもよい。本体６には、貫通孔２と、氷又は冷水の投入口１４を塞ぐキャップ１が設けられる。内部には、氷４又は冷水３が投入される。氷嚢１００は、貫通孔２に手を差し込んで装着し、手首を冷やすのに適する。
【００１６】
図２は、図１の氷嚢１００を手首に装着した例である。これによれば、氷嚢１００を手首に装着した状態でも手５を動かせる。手首の周囲（３６０度）を冷やすことができる。
【００１７】
図３は、本考案による長尺な円筒状の氷嚢２００の斜視図である。実施例２とする。氷嚢２００は、ゴム又はシリコーンからなる本体６を備える。貫通孔２に手を差し込んで装着する。氷嚢２００は細長く、例として手首と肘の両方を覆う長さがある。肘だけを覆う長さとしてもよい。
【００１８】
図４は、図３の氷嚢２００を肘に装着する場合の手順を示す図である。
図４（ａ）は、本体６の一端を裏返してめくりあげ、キャップ１の側に寄せる操作を示す。本体６の一端（ここでは右側）が、本体６の外側に折返しにされる。
図４（ｂ）は、氷嚢２００を手５に通し、裏返しの部分を肘の方向に戻す操作を示す。表が出るように戻す。氷嚢２００の裏返しにした部分を戻す操作は、皮膚とゴム又はシリコーンとの摩擦がなく操作しやすい。
図４（ｃ）は、氷嚢２００の手首と肘への装着が完了したことを示す。
【００１９】
図５は、図３の氷嚢２００の一端に紐７を設けた図である。紐７は、例として貫通孔２を通して反対側から突き出すようにする。氷嚢２００の両端には、紐７を固定するための留め輪９が設けられる。
【００２０】
図６は、図３の氷嚢２００の長さを半分にする例である。貫通孔２に通した紐７を引っ張ることにより、氷嚢２００の一端を貫通孔２の中に折り返す。本体６の一端（ここでは右端）が、貫通孔の内部に折返しにされ、本体６の左側から突き出している形に変形した。
【００２１】
図７は、図６の氷嚢２００を手首に装着した例である。氷嚢２００を約半分の長さにしたので、手首の箇所に限定して冷やす場合に使用できる。紐７は、留め輪９に固定できる。紐７を氷嚢２００の外側から巻いて固定してもよい。
【００２２】
図８は、本考案による足首用の氷嚢３００の斜視図である。実施例３とする。本体６の一端が足首の形状に合わせて折れ曲がっている。これによれば、足首の周りを冷やすのに都合がよい。踵（かかと）の部分には、内部に冷水の空間を設けていないので、歩いて足で踏んでも氷嚢３００の内部の水が移動しない。
【００２３】
図９は、本考案による膝用の氷嚢４００の斜視図である。実施例４とする。貫通孔２は、膝の径に合わせて大きな内径を有する。
【００２４】
図１０は、図８、図９の氷嚢３００、４００を足首と膝に装着した例である。
【００２５】
図１１は、本考案による氷嚢５００の斜視図である。実施例５とする。氷嚢５００は、貫通孔２の径が大きく本体６の長さが短い形状である。貫通孔２の長さが貫通孔２の径に比べてかなり短い。そのため、頭や、首、腰に装着する場合に適している。図１２に、図１１の氷嚢５００を頭、首、腰に装着した例を示す。貫通孔２の径が大きいので、差し込む時は容易であるが患部に固定しにくい。そこで、固定バンド１０を使用する。図１３は、固定バンド１０の斜視図である。固定バンド１０には、キャップよけの孔１１が設けられる。固定バンド１０の一側面には面ファスナが設けられ、金具１２で折り返して締め付けて固定する。
【００２６】
図１４は、本考案による氷嚢６００の斜視図である。実施例６とする。氷嚢６００は、氷４又は冷水３が収容され、貫通孔２を有する長尺な円筒状の本体６と、本体６とチューブで連結される氷補給バッグ８からなる。本体６には帯状の面ファスナ１３が貼り付けられており、氷補給バッグ８の底部に設けた面ファスナと結合される。従来のものには、氷補給バッグ８がなかった。そのため、初めは冷た過ぎ、次に適度な冷たさになり、その後に温度が上昇した。氷補給バッグ８を設けたので、長い時間、患部を冷やすことができる。
【００２７】
図１５は、図１４の氷嚢６００の使い方の説明図である。（１）まず、氷嚢６００を回転しながら移動し、患部を覆う。（２）次に、氷４の大量に入った氷補給バッグ８を本体６の面ファスナ１３の上に結合する。（３）皮膚との接触面の温度が上がって来たら、氷補給バッグ８と本体６を手でもみ、冷水４を本体６に送り込み、本体６の温度を下げる。図１５（ａ）、（ｂ）には、手首などに差し込んで本体６を図面左方向に移動させる例を示す。本体６の外側表面をスライドさせ、左側の貫通孔２の内部に折り返すように押し込む。これにより、本体６が図１５（ｂ）に示すように左方向に移動する。
【００２８】
図１６は、図１４の氷嚢６００の動作説明図である。図１６は、氷嚢６００の縦断面で示す。本体６を図面左方向に移動させる例を示す。本体６の表面を左方向に押す。すると左側の貫通孔２の開口部が、貫通孔２の内部に潜り込む。一方、右側の貫通孔２の開口部は、貫通孔２の内部が外側に出てくる。そして、全体に本体６は、一点鎖線で示すように図面左方向に移動する。本体６を図面右方向に移動させる説明は、この逆なので省略する。このように、貫通孔２の内側が本体６の表面となるように、又は本体６の表面が貫通孔２の内側となるように回転させることにより、本体６の移動を行なう。貫通孔２の内面は皮膚に接触しているが、擦るような動作ではないので、本体６の患部への移動が容易にできる。
【産業上の利用可能性】
【００２９】
本考案の氷嚢は、貫通孔を有する本体を備えるので、手首や肘、足首や膝、頭や首などに装着し、患部の周囲を冷やすことができる氷嚢として好適である。
【符号の説明】
【００３０】
１    キャップ
２    貫通孔
３    冷水
４    氷
５    手
６    本体
７    紐
８    氷補給バッグ
９    留め輪
１０    固定バンド
１１    キャップよけの孔
１２    金具
１３    面ファスナ
１４    投入口
１００、２００、３００、４００、５００、６００    氷嚢
【図１】
0003232370.tif 000003
【図２】
0003232370.tif 000004
【図３】
0003232370.tif 000005
【図４】
0003232370.tif 000006
【図５】
0003232370.tif 000007
【図６】
0003232370.tif 000008
【図７】
0003232370.tif 000009
【図８】
0003232370.tif 000010
【図９】
0003232370.tif 000011
【図１０】
0003232370.tif 000012
【図１１】
0003232370.tif 000013
【図１２】
0003232370.tif 000014
【図１３】
0003232370.tif 000015
【図１４】
0003232370.tif 000016
【図１５】
0003232370.tif 000017
【図１６】
0003232370.tif 000018